(57)【要約】【課題】文化財の材質、製造年月、製造技法、修復履歴、展示期間、輸送期間等のデータから、最適な保存管理のための情報を提供し、文化財の劣化、損傷を未然に防止する。【解決手段】複数の博物館、美術館等のユーザ１００が有するＰＣ等による端末装置１と、文化財の保存管理を支援する専門の研究機関２００が有するサーバ２とがネットワーク６０を介して接続されて構成される。サーバ２は、各文化財の素材、製造年月、製造技法、修復履歴の情報を蓄積するDB１６と、各文化財の展示期間や、輸送手段と輸送期間等のユーザからの入力に対して最適な保存管理情報を出力する。各ユーザは、文化財への劣化・損傷を未然に防止するための精度の高い保管情報をＷｅｂブラウザを通して取得することができる。【選択図】      図１
2006099425.tif 000002
【特許請求の範囲】
【請求項１】
複数の博物館、美術館のそれぞれに設置される端末装置と、文化財の保存管理を支援する研究機関に設置されるサーバとをネットワークにより接続し、前記サーバが、前記端末装置からの文化財の保存管理に関する問い合わせに対して応答する文化財保存管理支援方法において、前記サーバは、各文化財の展示期間、輸送手段、輸送期間を含む前記端末装置を介した問い合わせ情報の入力に対して、文化財保管情報データベースから得た各文化財の素材、製造年月、製造技法、修復履歴の情報と、入力された前記問い合わせ情報とに基づいて、その文化財に適した保存管理情報を算出し、その結果を前記端末装置に応答することを特徴とする文化財保存管理支援方法。
【請求項２】
前記応答する結果の保存管理情報が、室内温度、室内湿度、照度であることを特徴とする請求項１記載の文化財保存管理支援方法。
【請求項３】
複数の博物館、美術館のそれぞれに設置される端末装置と、文化財の保存管理を支援する研究機関に設置されるサーバとをネットワークにより接続し、前記サーバが、前記端末装置からの文化財の保存管理に関する問い合わせに対して応答する文化財保存管理支援システムにおいて、前記サーバは、各文化財の素材、製造年月、製造技法、修復履歴の情報を格納した文化財保管情報データベースと、各文化財の展示期間、輸送手段、輸送期間を含む前記端末装置を介した問い合わせ情報の入力に対して、前記文化財保管情報データベースから得た各文化財の素材、製造年月、製造技法、修復履歴の情報と、入力された前記問い合わせ情報とに基づいて、その文化財に適した保存管理情報を算出する手段と、その結果を前記端末装置に応答する手段とを備えることを特徴とする文化財保存管理支援システム。
【発明の詳細な説明】
【技術分野】
【０００１】
本発明は、文化財保存管理支援方法及びシステムに係り、特に、博物館、美術館等に保存される文化財の保存管理情報データ等を管理して文化財保存のための情報を提供する文化財保存管理支援方法及びシステムに関する。
【背景技術】
【０００２】
文化財の保存管理に関する従来技術として、例えば、特許文献１等に記載された技術が知られている。この従来技術は、美術品等の保存管理のために必要な情報の１つである保存環境における「相対湿度」を制御するシステムに関するものである。そして、この従来技術は、種々の美術品それぞれの保存環境パラメータのうちの相対湿度の許容範囲を示す情報をネットワークを介した保存対象に送信可能なユーザ端末と、種々の美術品それぞれを囲む環境の相対湿度を検出し、当該検出値を前記ユーザ端末からネットワークを介して得た相対湿度の許容範囲情報とを比較し、相対湿度が許容範囲から外れていた場合に、環境の相対湿度を許容範囲となるように制御する美術品保存装置とを備えて、美術品等の文化財の保存管理を行うというものである。
【特許文献１】特開昭２００３−９４９００号公報
【発明の開示】
【発明が解決しようとする課題】
【０００３】
博物館において保存管理されている文化財は、収蔵庫で保管されているとき、展示室で展示されているとき、貸出しのために輸送するとき、出版、印刷等のために写真やビデオ撮影が行われるとき等のあらゆる機会において劣化、損傷を受けるという危険が潜んでいる。特に、貸出し先への文化財の輸送過程や展示は、博物館活動の中でも特異的で動的な行為であり、文化財が必ずしも専門の職員により取り扱われるとは限らず、外部に委託しているのが現状であるため、前述したような危険が大きなものとなる。
【０００４】
また、文化財は、前述したようなあらゆる機会において、建物の内装、展示ケース等の材料から発生する揮発性物質による室内汚染、室内温度、湿度、照明の照度による影響を受け、また、輸送過程での負荷の影響を受けるため、これらに対する対応をどのように行って文化財の保護を行っていくかが大きな関心事となっている。
【０００５】
本発明の目的は、前述したような点に鑑み、それぞれの文化財の材質、製造年月、製造技法、修復履歴、展示期間、輸送期間等のデータから、前述したようなあらゆる場面において最適な保存管理のための情報を提供し、文化財の劣化、損傷を未然に抑えて文化財を保管していくようにすることができる文化財保存管理支援方法及びシステムを提供することにある。
【課題を解決するための手段】
【０００６】
本発明によれば前記目的は、複数の博物館、美術館のそれぞれに設置される端末装置と、文化財の保存管理を支援する研究機関に設置されるサーバとをネットワークにより接続し、前記サーバが、前記端末装置からの文化財の保存管理に関する問い合わせに対して応答する文化財保存管理支援方法において、前記サーバは、各文化財の展示期間、輸送手段、輸送期間を含む前記端末装置を介した問い合わせ情報の入力に対して、文化財保管情報データベースから得た各文化財の素材、製造年月、製造技法、修復履歴の情報と、前記入力された問い合わせ情報とに基づいて、その文化財に適した保存管理情報を算出し、その結果を前記端末装置に応答することにより達成される。
【０００７】
また、前記目的は、複数の博物館、美術館のそれぞれに設置される端末装置と、文化財の保存管理を支援する研究機関に設置されるサーバとをネットワークにより接続し、前記サーバが、前記端末装置からの文化財の保存管理に関する問い合わせに対して応答する文化財保存管理支援システムにおいて、前記サーバは、各文化財の素材、製造年月、製造技法、修復履歴の情報を格納した文化財保管情報データベースと、各文化財の展示期間、輸送手段、輸送期間を含む前記端末装置を介した問い合わせ情報の入力に対して、前記文化財保管情報データベースから得た各文化財の素材、製造年月、製造技法、修復履歴の情報と、前記入力された問い合わせ情報とに基づいて、その文化財に適した保存管理情報を算出する手段と、その結果を前記端末装置に応答する手段とを備えることにより達成される。
【発明の効果】
【０００８】
本発明によれば、博物館等における文化財毎の最適な保存管理のための情報を容易に取得することができ、また、貸出し先の博物館や輸送過程における保管方法を明確にすることができ、これにより、文化財の劣化、損傷を未然に防止することができる。また、本発明によれば、各文化財毎のあらゆる情報や保管方法を一括して専門の研究機関で管理することとしているので、システムやＤＢのメンテナンスを充分に行うことができ、また、各博物館等は、自前でのシステムの導入等の必要がないため、運用上のユーザ側の負荷を軽減することができる。
【発明を実施するための最良の形態】
【０００９】
以下、本発明による文化財保存管理支援方法及びシステムの実施形態を図面により詳細に説明する。
【００１０】
図１は本発明の一実施形態による文化財保存管理支援システムの構成を示すブロック図である。図１において、１は端末装置、２はユーザインタフェース、３、７、１１、１３は画面制御部、４、８はＤＢ（データベース）登録処理部、５はＩＤ自動発番処理部、６、１０は初期処理部、９は文化財コード自動発番処理部、１２は文化財保管情報計算制御部、１４はＤＢアクセス制御部、１５はユーザ管理情報ＤＢ、１６は文化財保管情報ＤＢ、２０はサーバ、３０は新規登録制御部、４０は文化財情報登録制御部、５０は文化財保管情報検索制御部、６０はネットワーク（ＮＷ）、１００はユーザ、２００は研究機関である。
【００１１】
本発明の実施形態による文化財保存管理支援システムは、複数の博物館、美術館等のユーザ１００が有するＰＣ等による端末装置１と、文化財の保存管理を支援する専門の研究機関２００が有するサーバとがインターネット等のネットワーク６０を介して接続されて構成されている。複数の博物館、美術館等のユーザ１００が有するＰＣ等による端末装置１のそれぞれは、よく知られているように、表示装置、キーボード等の入力装置、情報処理を行うＣＰＵ、メモリ、ハードディスク装置、通信制御装置等を備えて構成されていればよく、表示処理のためのＷｅｂブラウザを備えて構成される。
【００１２】
また、研究機関２００が有するサーバ２０は、前述したＰＣと同様な構成を有し、各種のデータを保持するためのＤＢを備えている。そして、サーバ２０は、端末装置１との通信のためのユーザインタフェース２と、新規登録制御部３０と、文化財情報登録制御部４０と、文化財保管情報検索制御部５０と、ＤＢアクセス制御部１４と、ＤＢ内に持つユーザ管理情報ＤＢ１５、文化財保管情報ＤＢ１６とを備えて構成される。
【００１３】
新規登録制御部３０は、博物館等のユーザ１００が新規にシステムに参加する場合の処理を行う機能部であり、画面制御部３、ＤＢ登録処理部４、ＩＤ自動発番処理部５により構成されている。文化財情報登録制御部４０は、博物館等のユーザ１００からの文化財に関する情報を登録する処理を行う機能部であり、初期処理部６、画面制御部７、ＤＢ登録処理部８、文化財コード自動発番処理部９により構成されている。また、文化財保管情報検索制御部５０は、文化財個々の保存管理の方法に関する情報を管理して、ユーザからの問い合わせに対して問い合わせられた個々の文化財の保存管理方法等をユーザに提供する機能部であり、初期処理部１０、画面制御部１１、１３、文化財保管情報計算制御部１２により構成されている。
【００１４】
図２はユーザ管理情報ＤＢ１５のテーブル構成を説明する図、図３は文化財保管情報ＤＢ１６のテーブル構成を説明する図であり、次に、これらについて説明する。
【００１５】
ユーザ管理情報ＤＢ１５のテーブルは、ユーザとしての博物館等の情報を管理するものであり、ユーザに対応して１つのテーブルが作成される。そして、１つのテーブルは、図２に示すように、項目番号＃、項目名、桁数、その値、備考よりなる複数のレコードにより１つの博物館の情報を記述している。項目名としては、博物館名、博物館コード、パスワード、代表者名、住所、電話番号、メールアドレスが設定され、指定された桁数内で項目の内容がその値として具体的に記述される。そして、博物館名、代表者名、住所、電話番号、メールアドレスの各項目は、後述する処理に従ってユーザにより画面から入力されるものであることが備考により記述されている。また、博物館コード、パスワードは、後述するＩＤ発番処理により設定されることが備考により記述され、さらに、博物館コードは、ユーザ管理情報ＤＢへのアクセス時のキー項目であることが備考に記述されている。
【００１６】
文化財保管情報ＤＢ１６のテーブルは、個々の文化財の情報を管理するものであり、各ユーザである博物館等の管理下にある個々の文化財に対応して１つのテーブルが作成される。そして、１つのテーブルは、図３に示すように、項目番号＃、項目名、桁数、その値・備考よりなるレコードにより１つの文化財の情報を記述している。項目名としては、その文化財を所持あるいは管理する博物館コード、博物館名、文化財コード、文化財名、分類、素材、製造技法、製造年、補修履歴、製作者が設定され、指定された桁数内で項目の内容がその値として具体的に記述される。そして、博物館コード、文化財コードは、文化財保管情報ＤＢへのアクセス時の主キー及び副キーとなることが備考として記述されている。
【００１７】
図４は本発明の実施形態によるシステムでの処理動作を説明するフローチャート、図５は処理動作中に入力しあるいは出力される情報について説明する図、図６〜図１２は処理動作中にユーザの端末装置１に表示される画面のレイアウトを示す図であり、次に、図５に示す入出力情報の例と、図６〜図１２に示す表示画面の例である画面レイアウトを参照して、図４に示すフローの処理動作を説明する。
【００１８】
（１）博物館等のユーザ１００の係員（以下、単に、ユーザという）が端末装置１を使用して研究機関２００のサーバ２０にネットワーク６０を介してアクセスすると、サーバ２０のユーザインタフェース部２は、アクセスしてきた端末装置１に対して図６に示すような初期画面である画面レイアウト１（トップページ）を送信して端末装置１に表示させる。この初期画面には、新規登録であるか、既登録で、文化財の情報を登録するか、文化財の保管情報を検索するかを選択して指示することができるボタンが設けられており、この画面で、ユーザに処理を選択させる（ステップ４０１、４０２）。
【００１９】
（２）ユーザは、博物館コードとパスワードとが取得済みでなかった場合、新規登録を行う必要があるので、この初期画面で「新規登録」のボタンを押下する（ステップ４０３  ＮＯ）。
【００２０】
（３）サーバ２０のユーザインタフェース部２は、図６に示す初期画面の「新規登録」のボタの押下を検出すると、新規登録制御部３０を起動する。新規登録制御部３０は、画面制御部３が図７に示しているような画面レイアウト２の新規登録画面を端末装置１に表示して必要な情報の入力を行わせる。ユーザ側から登録した情報は、ＤＢ登録処理部４で受信され、ＤＢアクセス制御部１４によってユーザ管理情報ＤＢ１５に登録される。ここで登録される情報は、図２に示したテーブルの＃１、＃４〜＃７のレコードに示される情報である。また、同時に、ＩＤ自動発番処理部５は、博物館コードとパスワードとを取得し、図２に示すテーブルの＃２、＃３のレコードとしてユーザ管理ＤＢ１５に登録すると共に、ユーザに対して取得した博物館コードとパスワードとをメールにより送信する。ここでの処理の後、「登録」、「戻る」のボタンが押下されると、ステップ４０２での初期画面の表示からの処理に戻る（ステップ４０４）。
【００２１】
（４）ステップ４０３で博物館コードとパスワードとが取得済みであった場合、ユーザは、文化財情報を登録するか、保管情報を検索するかの処理の一方選択することとし、文化財情報を登録するものとした場合、図６に示す初期画面から博物館コードとパスワードとを入力した後、「文化財情報登録」のボタンを押下する（ステップ４０５  ＮＯ）。
【００２２】
（５）サーバ２０のユーザインタフェース部２は、図６に示す初期画面の「文化財情報登録」のボタの押下を検出すると、文化財情報登録制御部４０を起動する。該文化財情報登録制御部４０は、初期処理部６が、入力された博物館コードとパスワードとが正当なものであるか否かをユーザ管理情報ＤＢ１５にアクセスすることにより確認し、正当なものでなかった場合、ステップ４０２での初期画面の表示からの処理に戻る（ステップ４０６）。
【００２３】
（６）ステップ４０６で入力された博物館コードとパスワードとが正当なものであったと判定された場合、画面制御部７が起動され、該画面制御部７は、図８に示す画面レイアウト３の文化財情報登録画面を端末装置１に表示して必要な情報の入力を行わせる。ユーザは、表示された登録画面の入力欄に必要な情報を入力する。ここでは、「文化財名称」、「製作者」、「素材」、「製造年」、「製造技法」、「補修履歴」の図５に＃１０〜＃１５として示す情報がユーザにより入力される。この入力の後、登録ボタンが押下されると、ＤＢ登録処理部８が入力された情報から図５に＃９として示すその文化財の分類を決定して、入力された内容と共に文化財保管情報ＤＢ１６に登録する。これと同時に、文化財コード自動発番処理部９が図５に＃２として示す「文化財コード」を生成し、この「文化財コード」をユーザ側へメールにより自動配信し、また、文化財保管情報ＤＢ１６へ登録する。なお、この画面で「戻る」ボタンが押下された場合、ステップ４０２での初期画面の表示からの処理に戻る（ステップ４０７）。
【００２４】
（７）ステップ４０５で文化財情報が登録済みであった場合、ユーザは、保管されている文化財の情報を検索することとし、図６に示す初期画面から博物館コードとパスワードとを入力した後、「保管情報検索」のボタンを押下する（ステップ４０５  ＹＥＳ）。
【００２５】
（８）サーバ２０のユーザインタフェース部２は、図６に示す初期画面の「保管情報検索」のボタの押下を検出すると、文化財保管情報検索制御部５０を起動する。該文化財保管情報検索制御部５０は、初期処理部１０が、入力された博物館コードとパスワードとが正当なものであるか否かをユーザ管理情報ＤＢ１５にアクセスすることにより確認し、正当なものでなかった場合、ステップ４０２での初期画面の表示からの処理に戻る（ステップ４０８  ＮＯ）。
【００２６】
（９）ステップ４０８で入力された博物館コードとパスワードとが正当なものであったと判定された場合、画面制御部１１が起動され、該画面制御部１１は、図９に示す画面レイアウト４の文化財保管情報検索画面を端末装置１に表示して必要な入力条件（保管条件）の入力を行わせる。ユーザは、表示された検索画面の入力欄に必要な情報を入力する。ここでは、「文化財コード」、「展示期間」、「輸送期間」、「輸送方法」の図５に＃２〜＃５として示す情報の必要なものがユーザにより入力される。なお、この画面で「ＴＯＰ」ボタンが押下された場合、ステップ４０２での初期画面の表示からの処理に戻る（ステップ４０９）。
【００２７】
（10）ステップ４０８で、図９に示す文化財保管情報検索画面から必要な情報を入力した後に「実行」ボタンが押下されると、文化財保管情報計算制御部１２が起動される。文化財保管情報計算制御部１２は、ユーザが入力した保管条件と、文化財コードにより文化財保管情報ＤＢ１６を検索して得た文化財情報である図５に＃１２〜＃１５に示している文化財の「素材」、「製造年」、「製造方法」とから最適な保管条件を算出した出力結果を、図１０、図１１に画面レイアウト５、６として示すような出力結果画面として端末装置１に表示する。なお、この画面で「ＴＯＰ」ボタンが押下された場合、ステップ４０２での初期画面の表示からの処理に戻る（ステップ４１０）。
【００２８】
前述した処理において、引き続き別の文化財の保管情報を検索する場合には、前述で説明した場合と同様に入力条件（保管条件）を入力することにより出力を続けることができる。また、出力結果の画面表示は、入力条件や文化財情報に応じて保管情報の項目を変更して出力することができる。そのため、例えば、図１０に示す画面レイアウト５の例のように、博物館内だけの保管情報を出力することや、図１１に示す画面レイアウト６の例のように、移送先の博物館までの輸送過程を含めた保管情報を出力することも可能である。
【００２９】
文化財保管情報計算制御部１２での出力結果の計算は、既に知られている計算式を使用して行うことができ、入力条件の他に文化財の素材等を入力パラメータとして、「温度」、「湿度」、「照度」等の保管条件の算出が行われる。また、文化財保管情報計算制御部１２は、文化財保管情報ＤＢ１６に登録されている類似の文化財保管情報から統計的に保管条件の理論値と上限値・下限値とを算出することができる。この算出は、図１０、図１１に画面レイアウト５、６として示すような出力結果画面の「統計」ボタンが押下されたときに行われ、図１２に示す画面レイアウト７の例のように端末装置１に表示される。そして、保管条件の理論値が上限値・下限値を超すような場合、研究機関の研究員がその文化財に起こり得る現象についてメモ欄にコメントを記述してユーザの端末装置１に表示させることができ、これにより、博物館等の担当者は、文化財の保管に関する詳細な情報を知ることができる。
【００３０】
前述したような本発明の実施形態によれば、各博物館は、所定の研究機関にインターネット等のネットワークを介して、展示期間または輸送期間と輸送手段とを入力することにより、予め登録しておいた文化財の情報に対する登録キーを入力することにより、文化財毎の条件にあった最適な保存管理情報を取得することが可能となり、これにより、文化財の劣化、損傷を未然に防止することが可能になり、また、貸出し先の博物館や輸送過程における保管方法を明確にすることができる。
【００３１】
また、本発明の実施形態によれば、各文化財のあらゆる情報や保管方法を一括して専門の研究機関が管理することとしているのて、システムやＤＢのメンテナンスを充分に行うことができ、また、各博物館は、文化財の保管管理のためのシステムの導入等の必要がないため、管理のための負荷を軽減できる。
【図面の簡単な説明】
【００３２】
【図１】本発明の一実施形態による文化財保存管理支援システムの構成を示すブロック図である。
【図２】ユーザ管理情報ＤＢのテーブル構成を説明する図である。
【図３】文化財保管情報ＤＢのテーブル構成を説明する図である。
【図４】本発明の一実施形態によるシステムでの処理動作を説明するフローチャートである。
【図５】処理動作中に入力しあるいは出力される情報について説明する図である。
【図６】処理動作中にユーザの端末装置に表示される画面のレイアウト１を示す図である。
【図７】処理動作中にユーザの端末装置に表示される画面のレイアウト２を示す図である。
【図８】処理動作中にユーザの端末装置に表示される画面のレイアウト３を示す図である。
【図９】処理動作中にユーザの端末装置に表示される画面のレイアウト４を示す図である。
【図１０】処理動作中にユーザの端末装置に表示される画面のレイアウト５を示す図である。
【図１１】処理動作中にユーザの端末装置に表示される画面のレイアウト６を示す図である。
【図１２】処理動作中にユーザの端末装置に表示される画面のレイアウト７を示す図である。
【符号の説明】
【００３３】
１  端末装置
２  ユーザインタフェース
３、７、１１、１３  画面制御部
４、８  ＤＢ（データベース）登録処理部
５  ＩＤ自動発番処理部
６、１０  初期処理部
９  文化財コード自動発番処理部
１２  文化財保管情報計算制御部
１４  ＤＢアクセス制御部
１５  ユーザ管理情報ＤＢ
１６  文化財保管情報ＤＢ
２０  サーバ
３０  新規登録制御部
４０  文化財情報登録制御部
５０  文化財保管情報検索制御部
６０  ネットワーク（ＮＷ）
１００  ユーザ
２００  研究機関
【図１】
2006099425.tif 000003
【図２】
2006099425.tif 000004
【図３】
2006099425.tif 000005
【図４】
2006099425.tif 000006
【図５】
2006099425.tif 000007
【図６】
2006099425.tif 000008
【図７】
2006099425.tif 000009
【図８】
2006099425.tif 000010
【図９】
2006099425.tif 000011
【図１０】
2006099425.tif 000012
【図１１】
2006099425.tif 000013
【図１２】
2006099425.tif 000014